(57)【要約】      （修正有）【課題】  ゲーム又はラウンドゲーム用の使いがっての良い札もしくは牌を提供する。【解決手段】  ゲーム用の札であって、遊びの印しを持っている矩形の前面と、該前面を、前記札を“手札”に有しているプレーヤーに向けるが、他のプレーヤーの目からはさえぎった状態で前記札が台上に支持されるのを可能にする第１の支持面とを備えており、前記前面及び前記第１の支持面は９０度よりも小さい第１の角度をなしている、札。  このような札のセットであって、該セットが含む札は、それらの前面上に、ラミーゲーム又はラミーに似たゲームをするための印しを持っている、札のセット。【選択図】  図１
2005324034.tif 000002
【特許請求の範囲】
【請求項１】
ゲーム用の札であって、遊びの印しを持っている矩形の前面と、該前面を、前記札を“手札”に有しているプレーヤーに向けるが、他のプレーヤーの目からはさえぎった状態で前記札が台上に支持されるのを可能にする第１の支持面とを備えており、前記前面及び前記第１の支持面は９０度よりも小さい第１の角度をなしている、札。
【請求項２】
前記第１の角度は、８８度以下、好ましくは８５度以下である、請求項１に記載の札。
【請求項３】
前記札は質量の中心又は重心を有しており、前記支持面を構成する平面上への前記重心の投影像は前記支持面と同一の空間を占める、請求項１又は２に記載の札。
【請求項４】
前記札は背面を有しており、前記背面及び前記前面は、前記第１の支持面と平行な前記札の横断面と交差する平行線を有している、請求項１〜３のうちのいずれか１項に記載の札。
【請求項５】
前記背面は、前記前面と平行であると共に、前記プレーヤーが遊ぶ際に前記前面を上向きにして前記台上に置かれるときに、前記札を支持するための第２の支持面を形成する、請求項４に記載の札。
【請求項６】
前記背面及び前記第１の支持面は、９０度を超える第２の角度をなしている、請求項４に記載の札。
【請求項７】
前記第１の角度及び前記第２の角度の合計は１８０度である、請求項４に記載の札。
【請求項８】
前記前面は前記第１の支持面に結合している、請求項１〜７のうちのいずれか１項に記載の札。
【請求項９】
前記背面は前記第１の支持面に結合している、請求項４〜８のうちのいずれか１項に記載の札。
【請求項１０】
上側面を更に備える、請求項１〜９のうちのいずれか１項に記載の札。
【請求項１１】
前記上側面及び前記前面は互いに直交している、請求項１０に記載の札。
【請求項１２】
前記前面及び前記上側面は曲り線に沿って互いに結合しており、前記第１の支持面を構成する平面上への前記曲り線の投影像は前記第１の支持面と同一の空間を占めている、請求項１０又は１１に記載の札。
【請求項１３】
互いに平行であると共に前記前面及び前記第１の支持面に結合する両側面を更に備えており、該側面は前記第１の支持面に対して直交している、請求項１〜１２のうちのいずれか１項に記載の札。
【請求項１４】
前記札は実質的に平行六面体の形に作られている、請求項１〜１３のうちのいずれか１項に記載の札。
【請求項１５】
前記前面は、前記札が前記第１の支持面で支持されているときの高さがその幅よりも大きい、請求項１〜１４のうちのいずれか１項に記載の札。
【請求項１６】
ゲーム用の札であって、該札の底面であり、遊びの印しを持っている矩形の前面と、該前面を、前記札を“手札”に有しているプレーヤーに向けるが、他のプレーヤーの目からはさえぎった状態で、前記札が台上に支持されるのを可能にする第１の支持面とを備えるほかに、前記札が前記前面を上に向けた状態で前記台上に支持されるのを可能にする第２の支持面を形成する背面を備えており、前記前面及び前記背面は平行であり、前記前面及び前記第１の支持面は９０度よりも小さい第１の角度をなしている、札。
【請求項１７】
前記第１の角度は８８度以下、好ましくは８５度以下である、請求項１６に記載の札。
【請求項１８】
請求項１〜１７のうちのいずれか１項に記載の札のセットであって、該セットが含む札は、それらの前面上に、ラミーゲーム又はラミーに似たゲームをするための印しを持っている、札のセット。
【請求項１９】
請求項１〜１７のうちのいずれか１項に記載の札のセットであって、該セットが含む札は、それらの前面上に、ドミノをするための印しを持っている、札のセット。
【発明の詳細な説明】
【技術分野】
【０００１】
本発明は、ゲーム又はラウンドゲーム用の札もしくは牌(tile)に関する。更に、本発明は、本発明による札から構成される遊具に関するものである。
【背景技術】
【０００２】
前面に異なる値が示された一組の札を使用するラミィキューブ(Rummikub＝登録商標)のようなゲームを楽しむことは知られている。札がプレーヤーの“手札”である場合、該札は、傾斜した支持壁を有するラック上に置かれているので、札の前面はプレーヤーが見ることができる。１枚以上の札がプレーヤーにより出された場合には、プレーヤーは、これらの札の背面をテーブルに接して置く。
【０００３】
“手札”の札を支持するのに使用されるラックは、遊具の付属的な品目をなしている。ラックの保管を可能にするために、札及びラックの保管箱は、十分に大きくなければならず、これは体積及び長さの双方で大きいということである。
【０００４】
ラックの支持壁は、取り外し可能の２つの支持脚部により支持されている。その結果として、これら脚部を置き忘れてしまうことが容易にありうる。
【０００５】
その上、ラックはこれら札を互いに接近して置くことを可能にするに過ぎず、これは、プレーヤーによる“手札”の札の概観に悪影響を与えうると共に、札の可能なグループ又はランを物色し成立させるのを妨げる。
【発明の開示】
【０００６】
本発明は、１つの形態によると、ゲーム用の札であって、遊びの印しを持っている矩形の前面と、該前面を、前記札を“手札”に有しているプレーヤーに向けるが、他のプレーヤーの目からはさえぎった状態で、前記札が台上に支持されるのを可能にする第１の支持面とを備えており、前記前面及び前記第１の支持面は９０度よりも小さい第１の角度をなしている、札を提供している。
【０００７】
従って、プレーヤーは、“手札”の札のためのラックを必要としない。その結果、ラックはなしですませることができる。
【０００８】
第１の角度は、８８度以下であることが好ましい。もっと好ましいのは、第１の角度が８５度以下であることである。
【０００９】
一実施形態において、札は質量の中心又は重心を有しており、支持面を構成する平面上への前記重心の投影像は前記支持面と同一の空間を占め、従って、まだ出していないときの札の安定性を向上させる。
【００１０】
更なる実施形態において、札は背面を有しており、該背面及び前面は、第１の支持面と平行な前記札の横断面と交差する平行線を有している。好ましいのは、背面が、前面と平行であると共に、プレーヤーが遊ぶ際に前面を上向きにして台上に置かれるときに、札を支持するための第２の支持面を形成していることである。従って、前面は、“手札”の状況においては１人のプレーヤーにっとてはっきり見ることができ、場に出した状況においては全てのプレーヤーにとって同様にはっきり見ることができる。
【００１１】
前記背面及び前記第１の支持面は、９０度を超える第２の角度をなしていることが好ましい。前記第１の角度及び前記第２の角度の合計は１８０度であることが有利である。
【００１２】
一実施形態において、前記前面は前記第１の支持面に結合している。
【００１３】
更なる実施形態において、前記背面は前記第１の支持面に結合している。
【００１４】
前記札は、上側面を更に備えることが好ましい。前記上側面及び前記前面は互いに直交していてよい。前記前面及び前記上側面は曲り線に沿って互いに結合していてよく、前記第１の支持面を構成する平面上への前記曲り線の投影像は前記第１の支持面と同一の空間を占めており、そのため札の安定性が向上する。
【００１５】
一実施形態において、札は、互いに平行であると共に前記前面及び前記第１の支持面に結合する両側面を更に備えており、該側面は前記第１の支持面に対して直交していて、そのため札は互いにぴったり接近して置くことができ、それらの側面は互いに当接する。
【００１６】
前記札は実質的に平行六面体の形に作られていることが好ましい。
【００１７】
有利な実施形態において、ラミィキューブを楽しむのに特に適するのは、前記札が前記第１の支持面で支持されているときに、前記前面の高さがその幅よりも大きいことである。
【００１８】
本発明は、更なる形態によると、ゲーム用の札であって、該札の底面であり、遊びの印しを持っている矩形の前面と、該前面を、前記札を“手札”に有しているプレーヤーに向けるが、他のプレーヤーの目からはさえぎった状態で、前記札が台上に支持されるのを可能にする第１の支持面とを備えるほかに、前記札が前記前面を上に向けた状態で前記台上に支持されるのを可能にする第２の支持面を形成する背面を備えており、前記前面及び前記背面は平行であり、前記前面及び前記第１の支持面は９０度よりも小さい第１の角度をなしている、札を提供している。
【００１９】
本発明は、更なる形態によると、本発明による札のセットであって、該セットが含む札は、それらの前面上に、ラミーゲーム又はラミーに似たゲームをするための印しを持っている、札のセットを提供している。
【００２０】
本発明は、添付図面に示した例示的な実施形態に基づいて説明されるであろう。
【発明を実施するための最良の形態】
【００２１】
図１及び図２に示した札１は、実質的に平行六面体の形に作られていて、矩形の前面２と、下側面又は第１の支持面３と、矩形の背面もしくは第２の支持面４と、上側面５と、２つの側面６，７とを有している。
【００２２】
登録商標である“ラミー(Rammy)又はラミィキューブ（Rummikub)”というゲームで使用されるようにするため、前面には単色で数字“５”がついている。このようなゲーム用の一組の札には、４色で１から１３までの数字がついているであろう（組札）。また、ジョーカーの表示がある２枚の札がこの一組に含まれることがある。
【００２３】
前面２及び下側面３は、この実施形態においては、７５〜８５度の間、特に８０〜８５度の間の９０度よりも小さい第１の角度αをなしているので、札の下側面もしくは第１の支持面３が台１００上に支持された場合、前面は若干後ろ側に傾いている。この直立姿勢は安定である。札のためのラック又はその他の補助具は必要としない。質量の中心又は重心Ｃは、台１００の平面上へのその投影像Ｃ’が下側面３の範囲内にあるように、位置付けられている。また、曲り部８は、台１００の平面上へのその投影像８’が、投影像Ｃ’の前側ではあるが、下側面３の範囲内にあるように、位置付けられている。
【００２４】
背面４は、前面２に平行であると共に、下側面３に対して９０度よりも大きい第２の角度βをなしており、該角度α及びβは加えたときに１８０度である。前面２が後方へ傾いている角度γは、第１の角度の補角であり、この実施形態の場合、第２の角度に等しい。
【００２５】
上側面５は、前面２に対して、また、背面４に対して直交している。側面６，７は、互いに平行であると共に、前面２に対して及び背面４に対して直交している。
【００２６】
札１は、圧縮成形又は射出成形により製造することができる。斜めの切り口により札をプレートから切断することによって該札を製造することもまた可能であり、この場合、切り口における面は２枚の隣接する札の上側面を形成する。
【００２７】
言うまでもなく、第１の角度は、型からの成形品の解放を可能にするため、札が成形により製造される場合に存在する想定抜き勾配よりも大きい範囲で、９０度とは異なっている。従って、この第１の角度は、８８度よりも小さいことが好ましく、更に好ましいのは８５度よりも小さいことである。
【００２８】
図３に示すように、複数の札１をプレーヤーの前に置くことができる。札１の前面の“５”、“１”及び“８”は、プレーヤーが、即ち、このプレーヤーのみがはっきりと見ることができる。
【００２９】
図４に示すように、札１は、それらの背面４を台１００に密着させて、台１００上に置くことができ、この場合、前面は、完全に真上を向き、全てのプレーヤーが均等に見ることができる。
【００３０】
側面６，７は、札１が例えば“２”、“３”及び“４”又は“６”、“６”及び“６”の列になって密接配置されることを可能にする。
【図面の簡単な説明】
【００３１】
【図１】ラミーで遊ぶための本発明による札の実施形態の側面図である。
【図２】図１の札の正面図である。
【図３】１人のプレーヤーの“手札”である数枚の札を示している。
【図４】プレーヤーが出した後の数枚の札を示している。
【図１】
2005324034.tif 000003
【図２】
2005324034.tif 000004
【図３】
2005324034.tif 000005
【図４】
2005324034.tif 000006
【外国語明細書】
2005324034.tif 000007
2005324034.tif 000008
2005324034.tif 000009
2005324034.tif 000010
2005324034.tif 000011
2005324034.tif 000012
2005324034.tif 000013
2005324034.tif 000014
2005324034.tif 000015
【図１】
2005324034.tif 000016
【図２】
2005324034.tif 000017
【図３】
2005324034.tif 000018
【図４】
2005324034.tif 000019